【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】
静止画撮影と動画撮影の選択が可能なカメラと、フォーカスレンズを含む撮影光学系を有し、前記カメラに対して着脱可能なレンズ装置とを有するカメラシステムであって、
前記カメラの撮像素子から出力される信号を用いて前記撮影光学系の焦点調節状態を検出する焦点検出手段と、
前記焦点検出手段による検出結果に基づいて、前記フォーカスレンズを駆動するフォーカス制御を行うフォーカス制御手段と、
前記カメラの静止画撮影または動画撮影を選択する選択手段とを有し、
前記フォーカス制御手段は、前記選択手段の選択に応じて、静止画撮影と動画撮影とでフォーカス制御を異ならせることを特徴とするカメラシステム。
【請求項２】
前記フォーカス制御手段は、静止画撮影時には、前記フォーカスレンズを停止させて前記撮像素子による画像蓄積動作を行わせ、動画撮影時には、前記フォーカスレンズが移動している状態での前記撮像素子による画像蓄積動作を許容することを特徴とする請求項１に記載のカメラシステム。
【請求項３】
前記フォーカス制御手段は、静止画撮影時には、前記焦点検出手段による現時点での検出結果に基づいて前記フォーカスレンズを駆動し、動画撮影時には、前記焦点検出手段による現時点よりも前の時点での検出結果に基づいて前記フォーカスレンズを駆動することを特徴とする請求項１に記載のカメラシステム。
【請求項４】
静止画撮影と動画撮影の選択が可能なカメラであって、
フォーカスレンズを含む撮影光学系と、
撮像素子から出力される信号を用いて前記撮影光学系の焦点調節状態を検出する焦点検出手段と、
前記焦点検出手段による検出結果に基づいて、前記フォーカスレンズを駆動するフォーカス制御を行うフォーカス制御手段と、
静止画撮影または動画撮影を選択する選択手段とを有し、
前記フォーカス制御手段は、前記選択手段の選択に応じて、静止画撮影と動画撮影とでフォーカス制御を異ならせることを特徴とするカメラ。
【請求項５】
前記フォーカス制御手段は、静止画撮影時には、前記フォーカスレンズを停止させて前記撮像素子による画像蓄積動作を行わせ、動画撮影時には、前記フォーカスレンズが移動している状態での前記撮像素子による画像蓄積動作を許容することを特徴とする請求項４に記載のカメラ。
【請求項６】
前記フォーカス制御手段は、静止画撮影時には、前記焦点検出手段による現時点での検出結果に基づいて前記フォーカスレンズを駆動し、動画撮影時には、前記焦点検出手段による現時点よりも前の時点での検出結果に基づいて前記フォーカスレンズを駆動することを特徴とする請求項４に記載のカメラ。
【請求項７】
静止画撮影と動画撮影の選択が可能なカメラに対して着脱可能に装着され、前記カメラとの間で通信が可能なレンズ装置であって、
フォーカスレンズを含む撮影光学系と、
前記カメラから、前記撮影光学系の焦点調節状態の検出結果を示す情報を受信し、該受信した情報に基づいて前記フォーカスレンズを駆動するフォーカス制御を行うレンズ制御手段とを有し、
前記レンズ制御手段は、前記カメラから静止画撮影と動画撮影の選択情報を受信し、該選択情報に応じて、静止画撮影と動画撮影とでフォーカス制御を異ならせることを特徴とするレンズ装置。
【請求項８】
前記レンズ制御手段は、静止画撮影時には、前記カメラの撮像素子による画像蓄積動作が行われる際に前記フォーカスレンズを停止させ、動画撮影時には、前記撮像素子による画像蓄積動作が行われる際の前記フォーカスレンズの移動を許容することを特徴とする請求項７に記載のレンズ装置。
【請求項９】
前記レンズ制御手段は、静止画撮影時には、前記カメラから受信した前記焦点調節状態の現時点で検出結果を示す情報に基づいて前記フォーカスレンズを駆動し、動画撮影時には、前記カメラから受信した前記焦点調節状態の現時点よりも前の時点での検出結果と前記位置検出手段による現時点での検出結果とに基づいて前記フォーカスレンズを駆動することを特徴とする請求項７に記載のレンズ装置。
【請求項１０】
静止画撮影と動画撮影の選択が可能であり、静止画撮影用のフォーカス制御と動画撮影用のフォーカス制御とを選択的に行うレンズ装置が着脱可能に装着され、前記レンズ装置との通信が可能なカメラであって、
前記撮影光学系の焦点調節状態を検出する焦点検出手段と、
前記焦点検出手段による検出結果を示す情報および静止画撮影と動画撮影の選択情報を前記レンズ装置に送信するカメラ制御手段とを有することを特徴とするカメラ。
【請求項１１】
請求項７から９のいずれか１項に記載のレンズ装置と、請求項１０に記載のカメラとを有することを特徴とするカメラシステム。
【手続補正２】
【補正対象書類名】明細書
【補正対象項目名】０００４
【補正方法】変更
【補正の内容】
【０００４】
【特許文献１】特開平２０００−２０６３９４号公報に開示されている。
【手続補正３】
【補正対象書類名】明細書
【補正対象項目名】０００５
【補正方法】変更
【補正の内容】
【０００５】
【発明が解決しようとする課題】
しかしながら、上記特許文献１にて提案されているカメラでは、カメラ単体での静止画撮影と動画撮影との切換えが可能であるにすぎない。
【手続補正４】
【補正対象書類名】明細書
【補正対象項目名】００２５
【補正方法】変更
【補正の内容】
【００２５】
さらに、ズームレンズフォーカスレンズ群４の位置とズームレンズ群２の位置で光学情報が変わる場合は、フォーカスレンズゾーン位置センサ２１にて検出されるフォーカスレンズ群４の位置及びズームレンズ位置センサ２２にて検出されるズームレンズ群２の位置に応じたこの光学情報をカメラ制御ＣＰＵ３１に通信する。
【手続補正５】
【補正対象書類名】明細書
【補正対象項目名】００３１
【補正方法】変更
【補正の内容】
【００３１】
２６は撮像素子２８でのエリアジングを防止する光学ローパスフィルタである。
【手続補正６】
【補正対象書類名】明細書
【補正対象項目名】００３２
【補正方法】変更
【補正の内容】
【００３２】
２７は光学ローパスフィルタ２６の装着状況を検出する光学ローパスフィルタ検出部である。カメラ制御ＣＰＵ３１は光学ローパスフィルタ２６の有無が表示素子４５に表示されるように制御する。また、カメラ制御ＣＰＵ３１はスイッチ制御回路４６の設定により光学ローパスフィルタ２６の有無により後述する画像処理方法を一部変更するように制御することもある。
【手続補正７】
【補正対象書類名】明細書
【補正対象項目名】００４８
【補正方法】変更
【補正の内容】
【００４８】
この通信の内容には、レンズの種類、製品バージョン、機能のデータを含むレンズ固有データの受信要求命令や撮影レンズのＩＳ敏感度、ＩＳ誤差補正量等のＩＳ用光学データ受信要求命令や撮影レンズの焦点距離、ＡＦ敏感度ＡＦ、誤差補正量等のＡＦ用光学データの受信要求命令や撮影レンズの開放ｆ値、最小絞り値、絞り段数等のＡＥ用光学データの受信要求命令や補正レンズ群３の固定、固定解除命令や補正レンズ群３の駆動方向、駆動量設定命令やデフォーカス量の設定命令（フォーカスレンズ群４の移動方向と移動量の指示値）や絞り５の駆動方向、駆動量設定命令等が含まれる。
【手続補正８】
【補正対象書類名】明細書
【補正対象項目名】００４９
【補正方法】変更
【補正の内容】
【００４９】
次に、レンズ側の像ぶれ補正動作について説明する。レンズとカメラ間の通信により撮影レンズ内の像ぶれ補正に関するデータ（以下、ＩＳ用光学データという）をカメラ制御ＣＰＵ３１が取得する。カメラ制御ＣＰＵ３１はＩＳ用光学データとカメラＤＳＰ３８からの出力とに基づいて像ぶれ補正駆動量を演算し、この演算結果をレンズ制御ＣＰＵ２０に通信する。レンズ制御ＣＰＵ２０は、像ぶれ補正制御回路１６により像ぶれ補正モータ１４、１５を駆動し、カメラ制御ＣＰＵ３１の設定値どおりの移動量となるように補正レンズ群３を駆動する。
【手続補正９】
【補正対象書類名】明細書
【補正対象項目名】００５７
【補正方法】変更
【補正の内容】
【００５７】
ステップ１０６では、カメラ制御ＣＰＵ３１は、Ｓ１スイッチ４９が押されたかどうかを検出し、押された場合はステップ１０７へ進み、像ぶれ補正を行う。押されなかった場合はステップ１０１に戻る。
【手続補正１０】
【補正対象書類名】明細書
【補正対象項目名】００５８
【補正方法】変更
【補正の内容】
【００５８】
ステップ１０７では、カメラ制御ＣＰＵ３１は、ステップ１０５で受信されたレンズデータに含まれるＩＳ用光学データを使用して、撮像素子２８上に結像される被写体像のぶれを少なくするようにレンズ制御ＣＰＵ２０に補正レンズ群３の駆動命令を送信して、像ぶれ補正を行わせる。本実施形態では、Ｓ１スイッチ４９が押されている間、像ぶれを補正しているが、Ｓ２スイッチ５０が押されている間に行われるようにしてもよい。
【手続補正１１】
【補正対象書類名】明細書
【補正対象項目名】００８６
【補正方法】変更
【補正の内容】
【００８６】
カメラ制御ＣＰＵ３１は図４（ｂ）、（ｃ）に示すように、時刻ｔａ〜ｔｂで電荷の蓄積、時刻ｔｂ〜ｔｃで演算・通信、時刻ｔｊ〜ｔｋで画像蓄積・記録を行っている。
【手続補正１２】
【補正対象書類名】明細書
【補正対象項目名】００９１
【補正方法】変更
【補正の内容】
【００９１】
レンズ制御ＣＰＵ２０は、時刻ｔｉ〜ｔｊでフォーカスレンズ群４が減速され、停止されるように制御する。
【手続補正１３】
【補正対象書類名】明細書
【補正対象項目名】０１１６
【補正方法】変更
【補正の内容】
【０１１６】
ｌ１９：カメラ制御ＣＰＵ３１は非合焦であるので、ＡＦ演算結果にあわせて、レンズ制御ＣＰＵ２０に通信し、時刻ｔ２７〜ｔ２８で再度フォーカスレンズ群４を合焦位置に移動する。
【手続補正１４】
【補正対象書類名】明細書
【補正対象項目名】０１２０
【補正方法】変更
【補正の内容】
【０１２０】
カメラ制御ＣＰＵ３１は、ＡＦ演算結果から、時刻ｔ３３〜ｔ３５では被写体位置から離れてしまっていることを検出しているが、動画撮影時はスムーズな画像再生を行うための一定時間間隔で画像蓄積を行う必要があるので、時刻ｔ３４〜ｔ３５では画像蓄積を行う。このとき、カメラ制御ＣＰＵ３１はレンズ制御ＣＰＵ２０にレリーズ中である旨の通信を行うが、動画記録中であるのでフォーカスレンズ群４を停止させない。
【手続補正１５】
【補正対象書類名】明細書
【補正対象項目名】０１２１
【補正方法】変更
【補正の内容】
【０１２１】
カメラ制御ＣＰＵ３１は、時刻ｔ３４〜ｔ３５での画像蓄積に応じたＡＦ演算結果（前回のＡＦ演算結果）に基づいて、レンズ制御ＣＰＵ２０にＡＦ駆動に関する通信を行い、時刻ｔ３５からｔ３６では急激な加速減速を行わないように徐々に被写体位置に近づけている。
【手続補正１６】
【補正対象書類名】図面
【補正対象項目名】図３
【補正方法】変更
【補正の内容】
【図３】
2004120011.tif 000001
【手続補正１７】
【補正対象書類名】図面
【補正対象項目名】図４
【補正方法】変更
【補正の内容】
【図４】
2004120011.tif 000002